(57)【要約】【課題】不必要な手動のプロビジョニングを回避する、関連付けられていない制御情報とＯＸＣポートとの間の関連付けメカニズムを提供すること。【解決手段】光クロスコネクト４０は、その発信ＯＳＣ（光サービスチャネル）のそれぞれを、ＯＳＣによってサービスを受けるポートに対応するセクショントレースに関連付けるデータベース４４を含む。光クロスコネクト４０は、定期的に、各ＯＳＣに関連付けられたセクショントレースを伝送して、そのＯＳＣに関連付けられたチャネル群中のチャネルについて受信側光クロスコネクト４０に知らせる。光クロスコネクトの発信チャネルの構成のどのような変化によっても、セクショントレースが自動的に更新されるようになる。【選択図】      図５
2004274707.tif 000002
【特許請求の範囲】
【請求項１】
通信ネットワーク中のネットワーク要素であって、
データを伝送するための複数のポートであって、それぞれ関連付けられたセクショントレースをもつ該ポートを有するクロスコネクトと、
１つまたは複数の発信光サービスチャネルを、該光サービスチャネルに関連付けられる出力ポートに対応する各組のセクショントレースに関連付けるための回路と、
各発信光サービスチャネル上で前記関連付けられたセクショントレースを定期的に伝送するための回路と
を備えるネットワーク要素。
【請求項２】
前記光サービスチャネルを１組のセクショントレースに関連付けるための前記回路は電子データベースを含む請求項１に記載のネットワーク要素。
【請求項３】
１つまたは複数の着信光サービスチャネルを入力ポートに対応するそれぞれの組のセクショントレースに関連付けるための回路を更に備える請求項１に記載のネットワーク要素。
【請求項４】
１つまたは複数の着信光サービスチャネルをそれぞれの組のセクショントレースに関連付けるための前記回路は、データベース中に着信光サービスチャネルからの１組のセクショントレースを記憶するための回路を含む請求項３に記載のネットワーク要素。
【請求項５】
各着信光サービスチャネルがローカルエリアネットワークアドレスに関連付けられる請求項３に記載のネットワーク要素。
【請求項６】
各発信光サービスチャネルがそれぞれの高密度波長分割マルチプレクサに関連付けられる請求項１に記載のネットワーク要素。
【請求項７】
光サービスチャネル上のメッセージを１組のポートに関連付ける方法であって、
ネットワーク要素の各ポートをセクショントレースに関連付けるステップと、
１つまたは複数の発信光サービスチャネルを、該光サービスチャネルに関連付けられた出力ポートに対応するそれぞれの組のセクショントレースに関連付けるステップと、
各発信光サービスチャネル上に前記関連付けられたセクショントレースを定期的に伝送するステップと
を含む方法。
【請求項８】
前記光サービスチャネルを１組のセクショントレースに関連付ける前記ステップは、前記光サービスチャネルを電子データベース中で１組のセクショントレースに関連付けるステップを含む請求項７に記載の方法。
【請求項９】
１つまたは複数の着信光サービスチャネルを入力ポートに対応するそれぞれの組のセクショントレースに関連付けるステップを更に含む請求項７に記載の方法。
【請求項１０】
前記光サービスチャネルを１組のセクショントレースに関連付ける前記ステップは、前記着信光サービスチャネルを電子データベース中で１組のセクショントレースに関連付けるステップを含む請求項８に記載の方法。
【発明の詳細な説明】
【技術分野】
【０００１】
本発明は、一般に遠隔通信に関し、より詳細には光クロスコネクトに関する。
【背景技術】
【０００２】
ネットワークサービスプロバイダ（ＮＳＰ）は、ＤＷＤＭ（高密度波長分割マルチプレクサ）を使用して、ファイバを利用する際の効率を高める。ＤＷＤＭは複数のチャネルを１本の光ファイバ上に多重化し（または１本の光ファイバから複数のチャネルへと逆多重化し）、各チャネルは固有の周波数で伝送される。
【０００３】
図１は、光クロスコネクト（ＯＸＣ）１０によるトラフィックの経路指定を示す全般的なブロック図である。この図ではＤＷＤＭを別々の多重化機能（ＤＷＤＭ１２）および逆多重化機能（ＤＷＤＭ１６）として示すが、実際の実装では１つのＤＷＤＭが一般に両方の機能を実施する。多重化ＤＷＤＭ１２は、ＯＸＣ１０からの複数のチャネルをファイバ１４上に多重化する。ファイバ１４上の着信信号からのチャネルが逆多重化ＤＷＤＭ１６によって受信され、このＤＷＤＭ１６は入力回線からの信号を構成波長（λ１〜λｎ）に逆多重化する。この図では、ｎは任意数であり、これはそれぞれＤＷＤＭ１２および１６に対して異なっていてもよい。各波長がチャネルに対応する。したがって、別々のチャネル上の着信をポート１８で受け取り、発信をポート２０に出力する。各チャネルを、その波長λｘによって参照することができる。
【０００４】
ＯＸＣ１０は、入力ポート１８のそれぞれの信号を所望の出力ポート２０にスイッチングするようにプログラムされる。出力ポート２０における信号は、１つまたは複数のＤＷＤＭ１２に結合され、このＤＷＤＭ１２のそれぞれはチャネルを１本のファイバ１４上に多重化する。ＤＷＤＭによって提供されるネットワーク層は、（それぞれがチャネルに専用の）複数の波長を搬送するファイバ１４を備えており、本明細書では、光多重セクション（ＯＭＳ）と呼ぶ。
【０００５】
光ネットワーク規格および光チャネルオーバーヘッドの開発が進んでいる。ＩＴＵ（国際電気通信連合）仕様Ｇ．７０９では、ファイバ上のチャネルに関連付けられたオーバーヘッドは、関連付けられた（ａｓｓｏｃｉａｔｅｄ）（すなわち、帯域内からチャネルに直接マップされた）もの、または関連付けられていない（ｎｏｎ−ａｓｓｏｃｉａｔｅｄ）（すなわち、ファイバ上のすべてのチャネルによって共有されたチャネル上で伝送される）もののどちらにもすることができる。この共通のチャネルをＯＳＣ（光サービスチャネル）と呼ぶ。このＯＳＣ上で伝送することができるオーバーヘッドのタイプについては、まだ特定されていないが、ＯＭＳ状態に関する情報、メインテナンス要求、およびリングマップなどのネットワークトポロジー情報を含むことになりそうである。
【０００６】
図２は、２つのＯＸＣの間のＤＷＤＭ接続を示すブロック図である。図に示すように、ＯＳＣチャネルは、トラフィックチャネルと一緒にファイバ１４上に多重化される。
【０００７】
図３に関連して、重要な問題を示す。図３にＯＸＣ１０が複数のネットワーク要素３０から信号を受け取る様子を示す。ネットワーク要素３０の個々の光チャネルの処理は、ネットワーク要素のＯＸＣ１０内で実施される。ＯＸＣ１０は、複数のＤＷＤＭ１２および複数のネットワーク要素３０からＯＳＣチャネルを受け取ることができる。図３に示すように（ネットワーク要素０の）ＯＸＣ１０は、３つのネットワーク要素３０から４つのＯＳＣを受け取る（ネットワーク要素１は２つのＤＷＤＭ、したがって２つのＯＳＣを使用してネットワーク要素０と交信する）。ＯＳＣ情報は、通常、コモンＬＡＮ３２にもたらされ、このＬＡＮ３２は様々なＯＳＣメッセージをＯＸＣ１０に転送する。
【０００８】
この手法の１つの問題は、ＬＡＮ３２上でＯＸＣ１０が受け取るＯＳＣ情報間の関連付け（ａｓｓｏｃｉａｔｉｏｎ）が、もはやそのソースに物理的に結合されていないことである。なぜなら、その情報はそれぞれのＤＷＤＭ１２に関連付けられたいくつかのＯＳＣのうちのどの１つからも来ている可能性があるからである。（「ネットワーク要素０」と「ネットワーク要素１」の間で示すように）複数のＯＳＣが一対のネットワーク要素３０間で伝送されるので、トラフィックチャネルを単にネットワーク要素３０に関連付けるだけでは不十分であることに留意すべきである。広く行われている手法では、ユーザコマンドを介してプロビジョニング（ｐｒｏｖｉｓｉｏｎｉｎｇ）を行うことによって関連付けを行うものであった。例えば、各ＯＳＣは、例えばＩＰアドレスを用いて一意的に識別することができるＬＡＮ上のノードを有する。ＤＷＤＭ１２がＯＸＣ１０に接続されるとき、そのＯＸＣ上のどのポートが、各ＩＰアドレスおよびチャネル指定に対応するかを指定するために、そのＯＸＣに関連付けられたデータベースを手動で更新する。
【０００９】
残念なことに、この手法は、潜在的なエラーを伴う。例えば、ポートの割り当てがトラフィックチャネル間で切り換えられる場合、ＯＸＣの再プロビジョニングを行う際の人為的なエラーにより、またはＯＸＣの再プロビジョニングを行えなかったことにより、ＯＳＣ情報がその対象チャネルとミスマッチを引き起こす可能性がある。さらに、過剰に再プロビジョニングを行うのは人的資源の浪費である。
【発明の開示】
【発明が解決しようとする課題】
【００１０】
したがって、不必要な手動のプロビジョニングを回避する、関連付けられていない制御情報とＯＸＣポートとの間の関連付けのメカニズムの必要性が高まってきている。
【課題を解決するための手段】
【００１１】
本発明においては、通信ネットワーク中のネットワーク要素が、データを伝送するための複数のポートであって、それぞれが関連付けられたセクショントレースをもつ当該ポートを有するクロスコネクトと、発信光サービスチャネルを、光サービスチャネルに関連付けられる出力ポートに対応する１組のセクショントレースに関連付けるための回路と、発信光サービスチャネル上で関連付けられたセクショントレースを定期的に伝送するための回路とを備える。
【発明の効果】
【００１２】
本発明は、従来技術よりも優れた利点をもたらす。ＯＳＣと、そのＯＳＣによってカバーされるチャネルに割り当てられるセクショントレースのと間の関連付けを行うことにより、プロビジョニングが行われるＯＳＣでは明示的な動作介入によって必要となるはずの手動のプロビジョニングの一部が取り除かれる。プロビジョニングはそのＯＳＣおよび光チャネルの宛先側では完全に取り除かれる。この関連付けにより、関連付けを絶えず検証して、予期せぬ変化があるときにはいつでも動作について警告するか、またはその関連付けを自動的に再定義する方法が提供される。
【００１３】
本発明、および本発明の利点をより完全に理解するためには、以下の説明を添付図面と併せ参照されたい。
【発明を実施するための最良の形態】
【００１４】
本発明は、図１〜図７に関連して考えると最もよく理解される。各種図面中で同様な数字は同様な要素に対して使用されている。
【００１５】
本発明は、ＯＣＳ情報と関連付けられたＯＸＣ１０上のポートとを自動的に相関付けるためにセクショントレースを使用している。セクショントレースの概念は、光ネットワークのみならず、ＳＯＮＥＴやＳＤＨといったレガシーネットワークにも同様に基づいている。セクショントレースは、隣接するセクションまたはリジェネレータセクションのオーバーヘッドを終端させるネットワーク要素間で、施設の接続が正しいことを検証するために使用される。本質的には、それぞれのネットワーク要素のＯＸＣポート間の各接続には、一意的なセクショントレースが割り当てられる。データフレーム中に組み込まれたセクショントレースは、送信ポートから隣接したＯＸＣの受信ポートに定期的に送信される。したがって、セクショントレースが予想されるセクショントレースと一致していない場合には、エラーが起こり、直ちに報告され、その接続が解除される。
【００１６】
ＩＴＵ規格Ｇ．７０９のＯｐｔｉｃａｌ  Ｔｒａｎｓｐｏｒｔ  Ａｒｃｈｉｔｅｃｔｕｒｅ（光伝送アーキテクチャ）仕様によれば、このセクショントレースは、（様々な要因のうちでも特に）（１）その層のネットワーク中で全世界的に一意的、かつ（２）アクセスポイントが存在している限りは不変でなければならない。その主要要件はセクショントレースが一意的であることである。Ｇ．７０９では以下のように述べられている。「一意性が保証されるとするならば、一意的なアクセスポイントコードは、国別コードおよびＩＴＵキャリアコードが割り当てられている組織が扱うべき問題である」。
【００１７】
図４ａおよび図４ｂに、セクショントレースの標準的な使用法が示されている。この例では、送信側ＯＸＣ１０ａはＤＷＤＭ１２に結合されたポートＣおよびＤを有する。ＯＸＣ１０ａ上のポートＣおよびＤに対応するチャネルは、ＯＸＣ１０ｂのポートＦおよびＧに終端している。これらのチャネルを、（ポートＣからポートＦに至る）チャネルλ３および（ポートＤからポートＧに至る）チャネルλ４と呼ぶことにする。チャネルλ３およびλ４は、ＯＸＣ１０ａのＤＷＤＭ１２を使用してファイバ１４に多重化され、ＯＸＣ１０ｂのＤＷＤＭ１６を使用して逆多重化される（高密度波長多重化を使用しない他の構成中では、セクショントレースが、ネットワーク要素３０間のリンク中でも使用されることに留意すべきである）。
【００１８】
動作時には、送信側ＯＸＣ１０ａは各チャネルに対して、セクショントレース、すなわち通常フレームごとに１バイト伝送される１６バイトのメッセージを定期的に出力する。図４ａの例に示すように、「ＸＹ１２３ＰＦ」というセクショントレースがチャネルλ３上で送られ、「ＤＬ９８７ＧＧ」というセクショントレースがチャネルλ３上で送られる。受信側ＯＸＣ１０ｂのポートが各セクショントレースを受信すると、それをそのポート用にプロビジョニングが行われたセクショントレースと比較する。セクショントレースがプロビジョニングの行われたセクショントレースと異なる場合には、警告が発せられ、チャネル上の通信を終了される。したがって、「ＸＹ１２３ＰＦ」以外のセクショントレースをＯＸＣ１０ｂのポートＦ上で受信した場合には、エラー状態が起こる。同様に、「ＤＬ９８７ＧＧ」以外のセクショントレースをＯＸＣ１０ｂのポートＧ上で受信した場合にもエラー状態が起こる。
【００１９】
図４ｂの例に示すように、不慮の切断がＯＸＣ１０ｂのポートＦおよびＧで起こり、チャネルλ３がポートＧに結合され、チャネルλ４がポートＦに結合された場合には、ポートＦが「ＤＬ９８７ＧＧ」というセクショントレースを受信し始め、ポートＧが「ＸＹ１２３ＰＦ」というセクショントレースを受信し始めるはずである。この場合には、両方のチャネルでアラームが生成されることになり、両方のチャネル上の通信が停止することになる。
【００２０】
したがって、セクショントレースにより、隣接したＯＸＣ間の適切なポート間接続が常に維持されることが保証される。接続に変化がある場合、セクショントレース情報を両方のネットワーク要素上で更新することが必須である。
【００２１】
図５に、ＯＸＣ４０のブロック図を示す。このＯＸＣ４０は、ネットワーク要素３０中で使用することができ、ネットワーク要素３０では、共通の回復状態など、ＯＳＣ上の関連付けられていないメッセージの精確な関連付けを行うためにセクショントレースが使用される。このＯＸＣ４０は、ＯＸＣ４０から送信された１つまたは複数のＯＳＣを、各ＯＳＣに関連付けられたセクショントレースに関連付けるデータベース回路４２を含む。
【００２２】
動作に際しては、セクショントレース情報を使用して、それらの対象チャネルとＯＳＣ上のメッセージを相関させる。受信側または送信側のＯＸＣ４０のいずれかで意図的なチャネル接続の変更があるときはいつでも、上述の標準の、また必須の手続きに従って、セクショントレースの再プロビジョニングを行うことになる。影響を受けたポートに対するセクショントレースの再プロビジョニングができないと、既存の手順を使用して警告が発せられることになる。したがって、セクショントレースの再プロビジョニングを行うときはいつでも、データベース４２が自動的に更新される。セクショントレースを使用して、関連付けられていないメッセージをそれらの対象ポートに相関させることによって、ＯＸＣ４０間の適切な接続を保証するためにセクショントレースのプロビジョニングを行い、ポートと、関連付けられていないメッセージとの間の相関が自動的に更新される。
【００２３】
図６ａおよび図６ｂにデータベース４２用に使用可能な２つの実施形態を示す。図６ａにおいて、データベース４２は、ポートとＤＷＤＭの割当てを関連付ける第１のテーブル４４と、ポートとセクショントレースの割当てを関連付ける第２のテーブル４６とを含む。第１のテーブル４４および第２のテーブル４６は、各ポートに関連付けられたセクショントレースを記憶するためにすでに使用したタイプの情報構造と同じ、またはそれに類似したものとすることができる。本発明においては、一度の照会でＤＷＤＭと、所与のポートに割り当てられたセクショントレースとを決定することができるように、第１のテーブル４４および第２のテーブル４６がポート指定によって関係付けられる。
【００２４】
図６ｂでは、単一のテーブル４８が各ポートを、ＤＷＤＭおよびセクショントレースに関係付ける。したがって、テーブル４８には、各ポートに対応するレコードがある。各レコードには、ＤＷＤＭおよびセクショントレースを識別するフィールドがある。
【００２５】
図７に示すように、各ＯＳＣはその関連付けられたポート２０のそれぞれに割り当てられたセクショントレースを定期的に送信する。１つまたは複数のＯＳＣからセクショントレースのリストを受信するＯＸＣ４０は、ＬＡＮ３２上のそのＭＡＣ（メディアアクセス制御）アドレス、または他の識別子により各ＯＳＣを識別し、各ＯＳＣをそのチャネルに関連付けるテーブル４６（図５参照）を構築する。したがって、ＯＸＣ４０は、ＯＳＣ上で送信される任意のメッセージに関連付けられるチャネル群を知っている。着信テーブル４０は、最初に、プロビジョニングが行われた予想されるセクショントレースを使用することにより、または実際に受信したセクショントレースを使用することによりセットアップされることができる。いずれの場合でも、連続的に受信したセクショントレースは、仮定した関連付けを連続的に検証する方法としての役割を果たす。トレースが思いがけなく変化する場合、受信側ＯＸＣ４０は、ユーザに対して警告し、（現在の展開ではすでに必要とされているように）再プロビジョニングが行われるのを待つか、または新しいチャネル位置で着信テーブル４６を更新することができる。
【００２６】
以上では、最も一般的な場合を想定しており、ここでは、ＯＳＣとそのチャネルの間に強制的な関連付けはない。ＯＭＳを形成する外部装置、すなわちＤＷＤＭがある場合に、一般的なケースになるはずである。ＤＷＤＭ機能が装置の棚に収納されるように区画に分かれた装置を備えたＯＸＣ４０については、図６ａ〜ｂに示されたデータベースを参照せずとも、ＯＳＣを制御する管理プロセッサには、どのチャネルが同じＯＳＣを共有するかが分かるはずである。
【００２７】
各ＯＳＣによる標準の動作条件下でのセクショントレースの伝送が、まれに（１秒間に１回、またはもっと間をおいて）起こることができる。更新は、チャネルの追加もしくは削除、またはチャネルのセクショントレースの変更など、セクショントレースに影響を及ぼす変更があるときだけ必要である。送信側ＯＸＣ４０および受信側ＯＸＣ４０の両方のデータベースは、変更がなされたときにすでに必要とされるセクショントレースの必須のプロビジョニングを行うことにより自動的に更新される。
【００２８】
本発明は、従来技術より優れた利点を備えている。ＯＳＣと、そのＯＳＣによってカバーされるチャネルに割り当てられたセクショントレースとの間で関連付けを行うことによって、プロビジョニングが行われたＯＳＣに対する明示的な動作介入によって必要とされるはずの追加の手動プロビジョニングが取り除かれる。実施されなければならないプロビジョニングは、セクショントレースを設定し、ＤＷＤＭに至るチャネルを割当てるだけである。しかしながら、これは、セクショントレースとＯＳＣの間の関連付けとは独立して必要とされるプロビジョニングである（したがってこの関連付けはどのような追加の努力もなしに行われる）。プロビジョニングは、そのＯＳＣおよび光チャネルの宛先側では完全に取り除かれる。この関連付けにより、関連付けを絶えず検証して、予期せぬ変化があるときにはいつでも動作について警告するか、またはその関連付けを自動的に再定義する方法が提供される。それにより、関連付けられていないオーバーヘッドを適切なチャネルにマッピングすることが可能になる。
【００２９】
本発明の詳細な説明では、いくつかの実施形態の例を対象にしてきたが、これらの実施形態の様々な修正形態ならびに代替形態が、当業者には示唆されよう。本発明は、特許請求の範囲の範囲内に含まれるいかなる修正形態または代替形態も含むものとする。
【図面の簡単な説明】
【００３０】
【図１】光クロスコネクト（ＯＸＣ）を介したトラフィックの経路指定を示す全般的なブロック図である。
【図２】２つのＯＸＣの間のＤＷＤＭ接続を示すブロック図である。
【図３】３つの異なるネットワーク要素に関連付けられた４つのＤＷＤＭからＯＳＣを受信するＯＸＣを示す図である。
【図４ａ】ポート間の適切な接続を検証するためのセクショントレースの標準的な使用を示す図である。
【図４ｂ】ポート間の適切な接続を検証するためのセクショントレースの標準的な使用を示す図である。
【図５】ＯＳＣ上での関連付けられていないメッセージの精確な通信を行うためにセクショントレースを使用するＯＸＣを示すブロック図である。
【図６ａ】セクショントレースをＯＳＣに関連付けるために使用することができるデータベースの一実施形態を示す図である。
【図６ｂ】セクショントレースをＯＳＣに関連付けるために使用することができるデータベースの一実施形態を示す図である。
【図７】ＯＳＣに割り当てられたセクショントレースの定期的な伝送を示す図である。
【符号の説明】
【００３１】
１０  光クロスコネクト（ＯＸＣ）
４０  光クロスコネクト（ＯＸＣ）
１２  ＤＷＤＭ多重化機能
１４  ファイバ
１６  ＤＷＤＭ逆多重化機能
１８  入力ポート
２０  出力ポート
３０  ネットワーク要素
３２  コモンＬＡＮ
４２  データベース
４４  第１のテーブル
４６  第２のテーブル
４８  単一のテーブル
λ１〜λｎ  波長
【図１】
2004274707.tif 000003
【図２】
2004274707.tif 000004
【図３】
2004274707.tif 000005
【図４ａ】
2004274707.tif 000006
【図４ｂ】
2004274707.tif 000007
【図５】
2004274707.tif 000008
【図６ａ】
2004274707.tif 000009
【図６ｂ】
2004274707.tif 000010
【図７】
2004274707.tif 000011
【外国語明細書】
2004274707.tif 000012
2004274707.tif 000013
2004274707.tif 000014
2004274707.tif 000015
2004274707.tif 000016
2004274707.tif 000017
2004274707.tif 000018
2004274707.tif 000019
2004274707.tif 000020
2004274707.tif 000021
2004274707.tif 000022
2004274707.tif 000023
2004274707.tif 000024
2004274707.tif 000025
2004274707.tif 000026
2004274707.tif 000027
2004274707.tif 000028
2004274707.tif 000029